(57)【要約】【課題】老若男女を問わずあまり力を掛けずに簡単に開閉できるようにした閉じ蓋装置を提供する。【解決手段】建物の床面などに形成された開口部３を開閉する閉じ蓋装置であって、前記開口部３に閉じられた蓋体１の周囲を囲むように位置する枠体８が設けられ、この枠体８は蓋体１の受け座部９と、この受け座部９の直ぐ上に形成されている水平方向の溝部１０を備え、前記蓋体１はアルミ型材からなる少なくとも２枚の蓋板４，５を枢結してこの２枚の蓋板４，５の互いに連結される側とは反対側の端部における両端面にスライド部材を取り付け、このスライド部材を前記枠体８の溝部１０に嵌め込み、少なくとも２枚の蓋板４，５からなる蓋体１を水平状態と折り畳み状態との間で姿勢が変化するように構成し、蓋板４，５には指掛け凹部２５を備えてなる。【選択図】    図２
2006348494.tif 000002
【特許請求の範囲】
【請求項１】
建物の床面などに形成された開口部を開閉する閉じ蓋装置であって、前記開口部に閉じられた蓋体の周囲を囲むように位置する枠体が設けられ、この枠体は蓋体の受け座部と、この受け座部の直ぐ上に形成されている水平方向の溝部を備え、前記蓋体はアルミ型材からなる少なくとも２枚の蓋板を枢結してこの２枚の蓋板の互いに連結される側とは反対側の端部における両端面にスライド部材を取り付け、このスライド部材を前記枠体の溝部に嵌め込み、少なくとも２枚の蓋板からなる蓋体を水平状態と折り畳み状態との間で姿勢が変化するように構成し、少なくとも１枚の蓋板には指掛け凹部あるいは取っ手などの持ち上げ部を備えてなることを特徴とする閉じ蓋装置。
【発明の詳細な説明】
【技術分野】
【０００１】
本発明は、建物室内の床面の下側に形成された収納空間などの空間部の上部を覆う閉じ蓋装置に関するものである。
【背景技術】
【０００２】
従来のこの種閉じ蓋装置としては例えば特許文献１に開示されているような床に形成された開口部を開閉するために開口部を閉じる大きさの１枚の蓋板が用いられ、この蓋板を開口部の一側辺においてヒンジ機構により開閉自在に支持した床下収納庫用開閉蓋が知られている。
【特許文献１】特開２００３−８２８４５号公報
【発明の開示】
【発明が解決しようとする課題】
【０００３】
上記特許文献１に記載の従来の床下収納庫用開閉蓋の構成では、１枚の蓋板により開口部を閉じるようになっており、開口部が大きくなると大きな蓋板を用いる必要があり、蓋板の重量も重くなり、蓋板の開閉に力を要し、女性や老人の力では作業に手間取るという問題があった。
【０００４】
本発明の目的は、このような課題を解決するものであり、老若男女を問わずあまり力を掛けずに簡単に開閉できるようにした閉じ蓋装置を提供することにある。
【課題を解決するための手段】
【０００５】
本発明の請求項１に記載の閉じ蓋装置は、建物の床面などに形成された開口部を開閉する閉じ蓋装置であって、前記開口部に閉じられた蓋体の周囲を囲むように位置する枠体が設けられ、この枠体は蓋体の受け座部と、この受け座部の直ぐ上に形成されている水平方向の溝部を備え、前記蓋体はアルミ型材からなる少なくとも２枚の蓋板を枢結してこの２枚の蓋板の互いに連結される側とは反対側の端部における両端面にスライド部材を取り付け、このスライド部材を前記枠体の溝部に嵌め込み、少なくとも２枚の蓋板からなる蓋体を水平状態と折り畳み状態との間で姿勢が変化するように構成し、少なくとも１枚の蓋板には指掛け凹部あるいは取っ手などの持ち上げ部を備えてなることを特徴とする。
【発明の効果】
【０００６】
以上のように、本発明の閉じ蓋装置は、偶数枚の蓋板からなる蓋体を水平状態と折り畳み状態との間で姿勢が変化するように構成してあるので、１枚の蓋板を引き上げることによってこの蓋板はスライド部材が溝部に沿って傾きながら持ち上がり、同時に隣接する蓋板も一緒に傾きながら持ち上がり、蓋板同士を重ねた状態で折り畳むことができ、老若男女を問わずあまり力を掛けずに簡単に開閉できるようにした閉じ蓋装置を提供することができる。
【発明を実施するための最良の形態】
【０００７】
以下、本発明の実施の形態を、図面に基づき具体的に説明する。
先ず、図１〜図８に示す第１の実施の形態について説明すると、１は床面２に形成された開口部３を開閉する蓋体で、この蓋体１は４枚の蓋板４〜７を枢結して水平状態と折り畳み状態との間で姿勢が変化するように構成されている。前記開口部３には閉じられた蓋体１の周囲を囲むように位置する枠体８が取り付けられている。枠体８はアルミニウムを押し出して作られた長尺状の型材からなり、蓋体１の受け座部９と、この受け座部９の直ぐ上に形成されている水平方向の溝部１０を備えている。前記蓋体１を構成する４枚の蓋板４〜７について説明すると、各蓋板４〜７は押し出しにより内部空洞状に成形されたアルミ型材からなる一方のパネル１１と、同じく押し出しにより内部空洞状に成形されたアルミ型材からなる他方のパネル１２とからなり、この両パネル１１，１２同士の結合部において一方のパネル１１の一端部には上下方向に向く厚みの上半分に長さ方向に沿って凹部１３が形成されているとともに厚みの下半分に長さ方向に沿って凸部１４が形成されている。また、他方のパネル１２の一端部には上下方向に向く厚みの上半分に長さ方向に沿って凸部１５が形成されているとともに厚みの下半分に長さ方向に沿って凹部１６が形成されており、一方のパネル１１の凹部１３に他方のパネル１２の凸部１５が嵌り込み、他方のパネル１２の凹部１６に一方のパネル１１の凸部１４が嵌り込むようになっている。なお、一方のパネル１１の凹部１３の上面と他方のパネル１２の凸部１５の下面には両者間に六角形の孔１７が形成され、この孔１７に支持軸１８を孔１７の両端を除く適所に挿入して両パネル１１，１２の結合部を支持軸１８により突っ張らせて結合部の外れ防止を図っている。
【０００８】
前記一方のパネル１１の他端部には上端角部外側に円弧状の凹部１９が長さ方向に沿って形成され、下端角部内側に六角形の孔２０が長さ方向に沿って形成されている。また、一方のパネル１１の幅方向中央において上下の互いに平行な板部２１，２２間を支えるリブ２３が長さ方向に沿って内部に一体に形成され、このリブ２３の片面にも六角形の孔２４が長さ方向に沿って形成されている。
【０００９】
また、前記他方のパネル１２の他端部には指掛けのために上面より凹部２５が長さ方向に沿って形成され、他端部を閉鎖する板部２６の下端角部外側に円弧状の凹部２７が長さ方向に沿って形成され、また板部２６の上端内側に六角形の孔２８が長さ方向に沿って形成されている。なお、板部２６はパネル１２の一端部側に傾くように形成されている。さらに、この他方のパネル１２の幅方向中央において上下の互いに平行な板部２９，３０間を支えるリブ３１が長さ方向に沿って内部に一体に形成され、このリブ３１の片面にも六角形の孔３２が長さ方向に沿って形成されている。
【００１０】
このように２枚のパネル１１，１２から構成される４枚の蓋板４〜７の内、一端部に位置する蓋板４とその隣の蓋板５、また他端部に位置する蓋板７とその隣の蓋板６とはそれぞれ、前記他方のパネル１２の他端部同士が近接した状態で板部２６の凹部２７にメガネ型のジョイント部材３３の両側の軸部３４を嵌め込み、互いに折り畳み自在に接続されている。また、中央に位置する２枚の蓋板５，６同士は一方のパネル１１の他端部の凹部１９にメガネ型のジョイント部材３３の両側の軸部３４を嵌め込み、互いに折り畳み自在に接続されている。
【００１１】
ところで、各蓋板４〜７の長さ方向両端面は開口し、カバー材３５がビス３６止めにより閉じられる。ビス３６止めは前記一方のパネル１１の他端部の六角形の孔２０を除く六角形の孔１７，２４，２８，３２の位置で行なわれる。
【００１２】
このカバー材３５を各蓋板４〜７の長さ方向両端面に取り付けた状態でカバー材３５の外側から合成樹脂製で短い円筒状のスライド部材３７をビス３８止めにより取り付ける。このスライド部材３７の取り付けは各蓋板４〜７の一方のパネル１１の他端部の下端角部内側の孔２０の位置各面４箇所づつでカバー材３５の外面にスライド部材３７を当てがい、スライド部材３７に挿通させたビス３８を孔２０に螺入させることにより行なわれる。
【００１３】
以上のようにして蓋板４〜７を結合し組み立てられた蓋体１を開口部３に設けられた枠体８にセットする場合は、開口部３の長辺側に沿うように位置する枠体８の適所に形成された切り欠き開口部（図示せず）より枠体８の溝部１０に蓋板４〜７を折り畳んだ状態で前記各スライド部材３７を嵌め込み、前記４箇所のスライド部材３７を摺動させながら４枚の繋がった蓋板４〜７で開口部３を閉じるようにする。蓋板４〜７で閉じられた開口部３を開く場合は前記他端部に位置する蓋板７もしくはこの蓋板７に隣接する蓋板６の他方のパネル１２の他端部の凹部２５に指を入れ、板部２６の上端に指を掛けて蓋板６および７を持ち上げ、蓋板７をスライド部材３７を溝部１０に沿わせて移動させることによって蓋板６および７は逆Ｖ次状に折り畳まれ、また同様に蓋板４および５を持ち上げ、蓋板５をスライド部材３７を溝部１０に沿わせて移動させることによって蓋板４および５は逆Ｖ次状に折り畳まれ、蓋板５と蓋板６との接続部に位置するスライド部材３７および蓋板７の一方のパネル１１の他端部のスライド部材３７を蓋板４側に引き寄せることによって４枚の蓋板４〜７は順番に重なった状態で折り畳まれる。
【００１４】
次に、図９〜図１３に示す第２の実施の形態について説明すると、この実施の形態における蓋体１は２枚の蓋板４１，４２を枢結して水平状態と折り畳み状態との間で姿勢が変化するように構成されている。前記第１の実施の形態のパネル１１，１２からなる各蓋板４〜７と異なる点は、一方のパネル１１の他端部の上端角部外側に長さ方向に沿う円弧状の凹部が存在せず、また蓋板４１，４２同士が連結される他方のパネル１２の他端部に長さ方向に沿う指掛け用凹部が存在しない点および蓋板４２側に取っ手４３を設けてある点である。なお、２枚の蓋板４１，４２間の他方のパネル１２の他端部間には上面をフラットにし且つ指挟みによる怪我防止用の合成樹脂製の弾性体４４が装着されている。他の構成は基本的には第１の実施の形態と同じであり、図中第１の実施の形態と同符号は同一部材を示す。
【００１５】
この第２の実施の形態において２枚の蓋板４１，４２からなる蓋体１で閉じられた開口部３を開く場合は蓋板４２側に設けた取っ手４３を引き上げることによって蓋板４１はスライド部材３７が溝部１０に沿って移動して傾きながら持ち上がり、蓋板４１側の前記スライド部材３７を蓋板４２側に引き寄せることによって２枚の蓋板４１，４２は重なった状態で折り畳まれる。
【００１６】
以上２つの実施の形態について述べたが、蓋板の枚数は２枚、４枚に限定されるものではなく、偶数枚であれば良い。つまり、第２の実施の形態では蓋体１を２枚の蓋板４１，４２で構成してあるが、第２の実施の形態では２枚の蓋板からなる蓋体を２つ繋いだものと考えれば良く、同様に２枚の蓋板からなる蓋体を３つあるいは４つと繋いで蓋体を構成することも可能である。また、蓋板を構成するパネルの構成も図面に示す実施の形態に限定されるものではない。さらに、蓋体１で閉じられる開口部としては前述のように床面２に形成された開口部３の他、建物室内の床面の下側に形成された収納空間などの空間部の上部に形成される開口部であっても良い。
【図面の簡単な説明】
【００１７】
【図１】本発明の第１の実施の形態における閉じ蓋装置の平面図である。
【図２】図１のＡ−Ａ断面図である。
【図３】図１のＢ−Ｂ断面図である。
【図４】図２の拡大図である。
【図５】図１のＣ−Ｃ拡大断面図である。
【図６】図３の要部拡大図である。
【図７】同蓋体の折り畳み途中の状態を示す側面図である。
【図８】同蓋体の折り畳み完了状態を示す側面図である。
【図９】本発明の第２の実施の形態における閉じ蓋装置の平面図である。
【図１０】図９のＤ−Ｄ断面図である。
【図１１】図９のＥ−Ｅ断面図である。
【図１２】図９のＦ−Ｆ断面図である。
【図１３】同蓋体を折り畳んだ状態を示す側面図である。
【符号の説明】
【００１８】
１                蓋体
２                床面
３                開口部
４，５，６，７    蓋板
８                枠体
９                受け座部
１０                溝部
１１                一方のパネル
１２                他方のパネル
１３                凹部
１４                凸部
１５                凸部
１６                凹部
１７                孔
１８                支持軸
１９                凹部
２０                孔
２５                凹部
２６                板部
２７                凹部
２８                孔
３３                ジョイント部材
３４                軸部
３５                カバー材
３６                ビス
３７                スライド部材
３８                ビス
４１，４２          蓋板
４３                取っ手
４４                弾性体
【図１】
2006348494.tif 000003
【図２】
2006348494.tif 000004
【図３】
2006348494.tif 000005
【図４】
2006348494.tif 000006
【図５】
2006348494.tif 000007
【図６】
2006348494.tif 000008
【図７】
2006348494.tif 000009
【図８】
2006348494.tif 000010
【図９】
2006348494.tif 000011
【図１０】
2006348494.tif 000012
【図１１】
2006348494.tif 000013
【図１２】
2006348494.tif 000014
【図１３】
2006348494.tif 000015